(57)【要約】  高さ計測システム及び方法、例えばバンプ、ピラー又は膜厚に係るそれであり、クロマティック共焦点技術を用いうるものである。本システムは、白色光を発する白色光源と、その白色光源からの白色光を組成する波長それぞれの焦点距離が異なるレンズ群とを、備えうる。その白色光を組成する波長それぞれがそれらレンズから見て別々の距離にて集束する。センサ体は、複数本のロー及びカラムをなしそのセンサ体内に配置された複数個のセンサを有する。それらロー及びカラムそれぞれが、それらセンサのうち少なくとも２個を有する。
2019529895.tif 000002
【特許請求の範囲】
【請求項１】
白色光を発する白色光源と、
複数個のレンズであり、上記白色光源からの白色光を組成する波長それぞれの焦点距離がそれらレンズの屈折率により変わり、その白色光を組成する波長それぞれがそれらレンズから見て別々の距離にて集束する複数個のレンズと、
ピンホールアパーチャと、
上記白色光を受光する検出器と、
複数個のセンサを有するセンサ体であり、それらセンサが複数本のロー及びカラムをなしてそのセンサ体内に配置されており、それらロー及びカラムのそれぞれがそれらセンサのうち少なくとも２個を有するセンサ体と、
上記白色光源及び上記検出器を上記複数個のセンサに結合させる複数本の光ファイバと、
を備える装置。
【請求項２】
請求項１に記載の装置であって、更に、上記検出器と電子通信するコントローラを備え、クロマティック共焦点技術を用いウェハについての高さデータを提供するようそのコントローラが構成されている装置。
【請求項３】
請求項１に記載の装置であって、更に、上記センサ体と上記白色光を反射するウェハとを互いに対し走査させるよう構成されたアクチュエータを備える装置。
【請求項４】
請求項３に記載の装置であって、ロー及びカラム内の上記センサが線をなし配列されており、上記ウェハに対する上記センサ体の上記走査がそれらの線のうちいずれかに対し非平行な方向に沿っている装置。
【請求項５】
請求項４に記載の装置であって、上記ウェハに対する上記センサ体の走査方向が上記線のうち少なくとも１本に対し４５°角をなす装置。
【請求項６】
請求項１に記載の装置であって、更に、上記白色光を反射するウェハを保持するよう構成されたチャックを備える装置。
【請求項７】
請求項１に記載の装置であって、上記検出器がＣＭＯＳイメージセンサ又はＣＣＤイメージセンサでありスペクトル分散素子を有する装置。
【請求項８】
請求項７に記載の装置であって、上記スペクトル分散素子が格子を有する装置。
【請求項９】
請求項１に記載の装置であって、上記ピンホールアパーチャが上記光ファイバの一部分である装置。
【請求項１０】
複数個のレンズを介しウェハに白色光を差し向けるステップであり、その白色光を組成する波長それぞれの焦点距離がそれらレンズの屈折率により変わり、その白色光を組成する波長それぞれがそれらレンズから見て別々の距離にて集束するステップと、
上記ウェハによって反射された白色光のうち一部をセンサ体内の複数個のセンサにて受光するステップであり、それらセンサが複数本のロー及びカラムをなしてそのセンサ体内に配置されており、それらロー及びカラムのそれぞれがそれらセンサのうち少なくとも２個を有するステップと、
コントローラを用い、クロマティック共焦点技術を用いて、ウェハについての高さデータを求めるステップと、
を有する方法。
【請求項１１】
請求項１０に記載の方法であって、更に、上記ウェハ及び上記センサ体を互いに対し走査させるステップを有する方法。
【請求項１２】
請求項１１に記載の方法であって、ロー及びカラム内の上記センサが線に沿っており、上記ウェハに対する上記センサ体の上記走査がそれらの線のうちいずれかに対し非平行な方向に沿っている方法。
【請求項１３】
請求項１２に記載の方法であって、上記ウェハに対する上記センサ体の走査方向が上記線のうち少なくとも１本に対し４５°角をなす方法。
【発明の詳細な説明】
【技術分野】
【０００１】
本件開示は光センサに関する。
【背景技術】
【０００２】
（関連出願への相互参照）
本願は２０１６年９月７日付米国仮特許出願第６２／３８４３２４に基づく優先権主張を伴うものであり、この参照を以てその開示内容が本願に繰り入れられるものとする。
【０００３】
半導体製造業の発展につれ歩留まり管理に対する期待、とりわけ計量及び検査システムに対するそれがかつてなく強まっている。限界寸法（クリティカルディメンション）が縮小される一方でウェハサイズは増している。市場により、同業界は、高歩留まり高付加価値生産を達成するための時間を縮めるよう駆り立てられている。即ち、歩留まり問題を検出してからそれを正すまでの総時間を短縮することが、半導体製造業者にとり投資収益率の決め手となっている。
【０００４】
半導体デバイス例えば論理デバイス及び記憶デバイスの製造においては、通常、多数の半導体製造プロセスを用い半導体ウェハを処理することで、それら半導体デバイスの諸フィーチャ（外形特徴）及び構造階層群が形成される。例えばリソグラフィは、レティクルから半導体ウェハ上に配列されたフォトレジストへのパターン転写を伴う半導体製造プロセスである。半導体製造プロセスの更なる例としては、これに限られるものではないが、化学機械研磨（ＣＭＰ）、エッチング、堆積及びイオンインプランテーションがある。複数個の半導体デバイスを１枚の半導体ウェハ上に配列をなして作成し、その上で個別の半導体デバイスへと分けるようにするとよい。
【０００５】
個別の半導体デバイスへと分ける前に、半導体デバイスのウェハ全体をパッケージング向けに調製してもよい。パッケージングの際に、チップキャリア例えば基板を半導体デバイスに連結してもよい。半導体デバイスのウェハをパッケージング向けに調製する際、それら半導体デバイスの表面上に、半導体デバイスをチップキャリアに連結するのに用いうる構造を形成してもよい。例えば、比較的小さな半田ボールを半導体デバイス上のエリア内に配列してもよい。それら比較的小さな半田ボールのことは「バンプ」、その上にそれら半田ボールが形成されたウェハのことは「バンプ付きウェハ」と呼ばれることが多かろう。バンプは例えば半球形でも正方形でもよい。それらバンプを然るべく構成することで、その半導体デバイスをチップキャリアに物理的に取り付けること、並びにチップキャリアに対する電気的接続をなすことができる。例えば、デバイスを基板上に載せ、その基板上にある金属パッドのアレイ上に半田ボールを接触させて熔融させればよい。この種のパッケージング方法のことは、フェースダウンボンディング、フリップチップボンディング又は制御崩壊チップ接続（Ｃ４）と呼ばれることが多かろう。
【０００６】
チップ内には多数のバンプを設けることができる。それらのバンプは同じ高さにする必要があり、そうしないとそれらを基板に同時に接触させることができない。ところが、製造プロセス上の差異故、一般に、バンプには高さの違いが現れる。
【０００７】
ウェハ上に不正確に形成されたバンプ、例えば高さ公差外のそれは、処理中例えばそのウェハの精査（プロービング）中や、そのデバイスの使用中に、顕著な問題を引き起こしかねない。例えば、不正確に形成されたバンプによりプローブカード上のプローブが損傷されたため、テスタ不稼働時間が生じることやテスタ修理コストが生じることがある。また、不正確に形成されたバンプにより電源電極と接地電極が橋絡されたため、過剰な電流がプローブカードを介し引き出されることもある。そのため、バンプ付きウェハは、通常、検査及び計測の後に精査されることとなろう。加えて、不正確に形成されたバンプが精査中に検出されず、パッケージング済デバイスの故障可能性が増すこともありうる。更に、精査によりバンプ、特に単位面積当たりのバンプ個数が比較的多いウェハ上にあり試験中に強い垂直力でプローブを着座させ適正接触を図ることが必要となりうるそれが、損傷するかもしれない。この場合、バンプ付きウェハの検査及び計量がウェハ精査後に実行されることもある。
【０００８】
現状で採用可能なバンプ付きウェハ三次元検査及び計量方法では、一般に、まずはｘｙ平面内でデータが捕捉され、次いでｚ平面内でデータが捕捉される。本質的には、この種のシステムを、縦続的データ捕捉（即ち二次元（２Ｄ）データ捕捉に続く三次元（３Ｄ）データ捕捉）であるものと記述することができる。バンプ付きウェハに係る２Ｄ欠陥の例としては、バンプ欠落、バンプ位置不適正、バンプ橋絡、バンプ直径過大及びバンプ直径過小があろう。３Ｄ欠陥の例としては、これに限られるものではないが、バンプ高の過剰又は不足や、バンプからの縦スパイク（ひげ）突出又はバンプ内への縦ピット（小孔）陥入があろう。現状で採用可能な方法では一般に２Ｄデータ及び３Ｄデータの同時捕捉が可能でないため、２Ｄデータ又は３Ｄデータのみの捕捉に比べ、それらの方法はかなり低速になろう。加えて、３Ｄデータ捕捉が２Ｄデータ捕捉に比べかなり低速であることで、２Ｄに係るサンプリングに比べ３Ｄに係るサンプリングが実質的に少数になろう。個々で用いられている語「サンプリング」は、概ね、単一の試料上にありプロセス中に検査又は計測される点又は部位の個数のことであるといえる。言い換えれば、ウェハのうち比較的多くの部分がｘｙデータ捕捉のため走査される場合、そのウェハのうち付加的なｚデータ捕捉のため走査される部分はかなり小さくなろう。
【０００９】
現状で採用可能なバンプ付きウェハ三次元検査システム及び方法には幾つかの短所がある。例えば、上述の通り、この種のシステムは、２Ｄ及び３Ｄデータを捕捉し検査及び計量に供するため、ウェハを縦続的に複数回走査するよう構成されることがある。加えて、この種のシステムの構成は、比較的広いエリアに亘るバンプ付きウェハの高速走査と両立しないかもしれない。これらの短所は、総じて、検査及び計量システムのスループットを低下させるであろう。更に、２Ｄデータ捕捉及び処理システムと３Ｄのそれとの別途使用故、この種のシステムは比較的複雑になりかねない。この短所は、総じて、検査及び計量システムのコストを増大させ信頼性を低下させるであろう。
【先行技術文献】
【特許文献】
【００１０】
【特許文献１】特開２００２−２９６０１８号公報
【特許文献２】米国特許出願公開第２０１２／００１９８２１号
【特許文献３】米国特許第６２４８９８８号
【発明の概要】
【発明が解決しようとする課題】
【００１１】
このように、より秀逸な高さ計測システム及び技術が必要とされている。
【課題を解決するための手段】
【００１２】
第１実施形態では装置が提供される。本装置は、白色光を発する白色光源と、複数個のレンズと、ピンホールアパーチャと、その白色光を受光する検出器と、複数個のセンサを有するセンサ体と、それら白色光源及び検出器を当該複数個のセンサに結合させる複数本の光ファイバと、を有する。そのレンズの屈折率によって、白色光源からの白色光を組成する波長それぞれの焦点距離が変わる。その白色光を組成する波長それぞれが、レンズから見て別々の距離にて集束する。センサは複数本のロー及びカラムをなしてセンサ体内に配置される。個々のロー及びカラムはセンサのうち少なくとも２個を有する。
【００１３】
コントローラが検出器と電子通信することができる。クロマティック共焦点技術を用いウェハについての高さデータを提供するよう、そのコントローラを構成することができる。
【００１４】
センサ体及びウェハを互いに対し走査させるようアクチュエータを構成することができる。そのウェハでは白色光が反射される。
【００１５】
ロー及びカラム内のセンサは線沿いに配列するとよい。ウェハに対するセンサ体の走査は、それらの線のうちいずれかに対し非平行な方向沿いとすることができる。ある例では、ウェハに対するセンサ体の走査方向が、それら線のうち少なくとも１本に対し４５°角をなす。
【００１６】
白色光を反射するウェハを保持するよう、チャックを構成することができる。
【００１７】
検出器を、スペクトル分散素子（分光素子）を有するＣＭＯＳイメージセンサ又はＣＣＤイメージセンサとすることができる。そのスペクトル分散素子が格子を有していてもよい。
【００１８】
ピンホールアパーチャを光ファイバの一部分としてもよい。
【００１９】
第２実施形態では方法が提供される。白色光が複数個のレンズを介しウェハへと差し向けられる。それらレンズの屈折率により、その白色光を組成する波長それぞれの焦点距離が変わる。その白色光を組成する波長それぞれが、それらレンズから見て別々の距離にて集束する。ウェハによって反射された白色光のうち一部が、センサ体内の複数個のセンサにて受光される。それらセンサは、複数本のロー及びカラムをなしてそのセンサ体内に配置される。それらロー及びカラムそれぞれが、それらセンサのうち少なくとも２個を有する。コントローラを用い、クロマティック共焦点技術を用いて、そのウェハについての高さデータが求められる。
【００２０】
本方法は、更に、ウェハ及びセンサ体を互いに対し走査させるステップを、有するものとすることができる。
【００２１】
ロー及びカラム内のセンサは線に沿いに設けることができる。ウェハに対するセンサ体の走査は、それらの線のうちいずれかに対し非平行な方向沿いとすればよい。ある例では、ウェハに対するセンサ体の走査方向が、それらの線のうち少なくとも１本に対し４５°角をなす。
【００２２】
本件開示の性質及び諸目的のより遺漏なき理解のためには、以下の添付図面と併せ後掲の詳細記述を参照すべきである。
【図面の簡単な説明】
【００２３】
【図１】本件開示の一実施形態の断面ブロック図である。
【図２】本件開示の一実施形態に係るセンサ配列を示す図である。
【図３】本件開示の一実施形態に係るセンサ配列を示す図である。
【図４】本件開示の一実施形態に係るセンサ配列を示す図である。
【図５】本件開示の一実施形態のフローチャートである。
【発明を実施するための形態】
【００２４】
特許請求の範囲記載の主題を特定の諸実施形態により記述するけれども、本願中で説明される長所及び特徴全てを提供しない諸実施形態を含め、他の諸実施形態もまた本件開示の技術的範囲内にあるものとする。様々な構造的、論理的、処理ステップ的及び電子的改変を、本件開示の技術範囲から離隔することなく施すことができる。従って、本件開示の技術的範囲は、専ら、添付する特許請求の範囲への参照により定まる。
【００２５】
本願にて開示されている諸実施形態は高さ計測、例えばバンプ、ピラー又は膜厚に係るそれに用いることができる。それら実施形態に係るセンサ配列と併せクロマティック共焦点技術を用いることで、計測速度が高まりスループットが改善される。
【００２６】
クロマティック共焦点技術では、白色光源例えばＬＥＤを用い、複数個のレンズに通すことができる。その白色光源によりウェハの表面を照明することができる。それらレンズは強度な色収差を呈しうる。それらレンズの屈折率により、白色光源からの白色光を組成する波長それぞれの焦点距離が変わりうる。即ち、その白色光を組成する波長それぞれがレンズから見て別々の距離にて集束することで、ある計測域が発生することとなろう。その光を、１本又は複数本のファイバを介し光学プローブに備わるセンサへと伝搬させることで、ある離散個数の点に亘りその焦点距離を拡散させ、それにより光の全スペクトルを生成することができる。
【００２７】
注目面が計測域内にあるときには、その白色光のうちある単一の波長が合焦状態となり、他の波長は全て非合焦状態となろう。その上でその白色光がレンズを介し逆反射され、次いでピンホールアパーチャの働きで合焦波長のみがＣＣＤ分光計へと通されるため、ある単一の点に係る特定の距離に対応する合焦波長が、そのＣＣＤ分光計により指示・表示されることとなろう。
【００２８】
図１は装置１００の断面ブロック図である。本装置１００は、ウェハ１０５のフィーチャ又は表面のクロマティック共焦点高さ計測に用いることができる。
【００２９】
本装置１００は、白色光を発する白色光源１０１と、複数個のレンズ１１４とを有している。例えば、それらレンズ１１４のなかにビームスプリッタとその他のレンズとを含めることができる。それらレンズ１１４の屈折率によって、白色光源１０１からの白色光を組成する波長それぞれの焦点距離が変わる。その白色光を組成する波長それぞれが、それらレンズ１１４から見て別々の距離にて集束する。
【００３０】
例えば、白色光源１０１を明視野共焦点イメージング向け又は暗視野共焦点イメージング向けに構成してもよい。比較的短波長の光を発するよう１個又は複数個の白色光源１０１を構成することができる。これにより、白色光源１０１の焦点深度を比較的小さくしてもよい。例えば、１個の点又は１本の線で以てウェハ１０５を照明するよう共焦点照明システムを構成してもよい。加えて、複数個の点又は複数本の線で以てウェハ１０５上の複数個所を実質同時に照明するよう、共焦点照明システムを構成してもよい。
【００３１】
白色光源１０１を、白色光ビームを生成するよう構成してもよい。加えて、複数の波長を有する白色光ビームを生成するよう白色光源１０１を構成してもよい。例えば、複数波長の光を発するよう構成されたレーザを白色光源１０１に具備させてもよい。そのレーザの例としては、約４５５ｎｍ、約４５８ｎｍ、約４６６ｎｍ、約４７７ｎｍ、約４８８ｎｍ、約４９７ｎｍ、約５０２ｎｍ、約５１５ｎｍ又は約５２９ｎｍを含め複数波長で発光するよう構成されたアルゴンイオンレーザがあろう。アルゴンイオンレーザを、紫外域及び波長域内の波長を有する光を発するよう構成してもよい。他の光源例えば広帯域光を発するよう構成された光源を、白色光源１０１に具備させてもよい。例えば、広帯域光ビームを発するよう白色光源１０１を構成してもよく、その広帯域光を、紫外光、可視光及び／又は赤外光を含むものとしてもよい。好適な広帯域白色光源１０１としては、これに限られるものではないが、約４５０ｎｍ〜約６４７ｎｍの波長域にて発光するよう構成された混合ガスレーザがあろう。更に、本システムに複数個の光源を具備させてもよい。例えば、本システムに２個のレーザを具備させてもよい。それら２個のレーザを、実質的に別の波長を有する光ビームを生成するように構成してもよい。
【００３２】
レンズ１１４には、光強度減衰器、スペクトル線バンドパスフィルタ、偏向ビームスプリッタ、空間フィルタ、集束光学系、コリメータレンズ、スキャンレンズ、視野レンズ、チューブレンズ、１／４波長板、明視野キューブ、折り返し鏡等を含めることができる。
【００３３】
本装置１００に、白色光源１０１に結合された１個又は複数個のフィルタ（図示せず）を具備させてもよい。それらのフィルタを、白色光源１０１に発する光のうち複数通りの波長を透過させるよう、構成してもよい。例えば、その光のうち二通り、三通り又はそれ以上の波長を透過させるようそれらフィルタを構成してもよい。それらのフィルタを透過した光をウェハ１０５の表面に差し向けることで、複数波長の光をウェハ１０５上に入射させてもよい。
【００３４】
白色光源１０１を、レンズ１１４を用い平行光源化してもよい。
【００３５】
本装置１００はピンホールアパーチャ１０２をも有している。
【００３６】
センサ体１０３は複数個のセンサ１０４を有している。それらセンサ１０４は、複数本のロー及びカラムをなしてセンサ体１０３内に配置されている。個々のロー及びカラムは、それらセンサ１０４のうち少なくとも２個を有している。５個のセンサ１０４がロー１本の中に描かれているが、例えばセンサ体１０３毎に数百個のセンサ１０４が複数本のロー及びカラムをなし存するようにしてもよい。
【００３７】
１本又は複数本の光ファイバ１０９により、白色光源１０１及び検出器１０７がそれら複数個のセンサ１０４に結合されている。それらセンサ１０４を介しウェハ１０５上に投射された白色光は、スロット状や線状の態となろう。図１ではピンホールアパーチャ１０２から分離しているかのように描かれているが、光ファイバ１０９にピンホールアパーチャ１０２として働かせ又はそれを具備させることもできる。即ち、ピンホールアパーチャ１０２を光ファイバ１０９の一部としてもよい。例えば、光ファイバ１０９の一面又は複数面を以てピンホールアパーチャ１０２としてもよい。
【００３８】
検出器１０７は、ウェハ１０５から反射されてきた白色光を受光する。この検出器１０７は、例えばＣＭＯＳイメージセンサ又はＣＣＤイメージセンサでありスペクトル分散素子例えば格子を伴うものと、するとよい。
【００３９】
コントローラ１０８はその検出器１０７と電子通信する。コントローラ１０８は、クロマティック共焦点技術を用いウェハ１０５についての高さデータをもたらすように構成されている。
【００４０】
コントローラ１０８には、１個又は複数個のプロセッサ４０８と、１個又は複数個のメモリ１１２とを、具備させることができる。各プロセッサ１１１がメモリ１１２のうち１個又は複数個と電子通信してもよい。ある実施形態では当該１個又は複数個のプロセッサ１１１が可通信結合される。この構成によれば、検出器１０７にて受光された波長に関わる示数を当該１個又は複数個のプロセッサ１１１にて受け取り、その示数をコントローラ１０８に備わるメモリ１１２内に格納することができる。コントローラ１０８に、少なくとも１個のプロセッサ１１１と電子通信する通信ポート１１３を具備させてもよい。コントローラ１０８を本システム自体の一部としてもよいし、本システムから分離させてもよい（例．スタンドアロン制御ユニットにし又は集中品質制御ユニットの態にしてもよい）。
【００４１】
実際のところ、コントローラ１０８はハードウェア、ソフトウェア及びファームウェアのどのような組合せで実現してもよい。また、その機能であり本願記載のものを単一のユニットによって実行しても複数個の部材間で分かち合ってもよく、更にはその部材それぞれをハードウェア、ソフトウェア及びファームウェアのどのような組合せで実現してもよい。コントローラ１０８に諸方法及び諸機能を実行・実現させるためのプログラムコード又は命令は、コントローラ可読格納媒体内、例えばメモリ１１２内、コントローラ１０８内、コントローラ１０８外、或いはそれらの組合せに格納すればよい。
【００４２】
コントローラ１０８その他、本願記載のシステム（群）及びサブシステム（群）は、パーソナルコンピュータシステム、ワークステーション、イメージコンピュータ、メインフレームコンピュータシステム、ネットワーク機器、インターネット機器、並列プロセッサその他の装置を含め、様々な形態を採りうる。一般に、語「制御ユニット」は、記憶媒体から得た命令を実行するプロセッサを１個又は複数個有する装置全てが包括されるよう、広義に定義されよう。また、そのサブシステム（群）やシステム（群）に、どのようなものであれ本件技術分野で既知で好適なプロセッサ、例えば並列プロセッサを具備させてもよい。加えて、そのサブシステム（群）やシステム（群）に、スタンドアロンツール又はネットワーク化ツールたる高速処理プラットフォーム及びソフトウェアを具備させてもよい。
【００４３】
本システムに複数個のサブシステムを具備させる場合、それら異種サブシステム同士を結合させることで、画像、データ、情報、命令等々をそれらサブシステム間で送れるようにすることができる。例えば、あるサブシステムを更なるサブシステム（群）へと、好適であるどのような伝送媒体により結合させてもよく、それには本件技術分野で既知で好適なあらゆる有線及び／又は無線伝送媒体が含まれうる。そうしたサブシステムのうち２個以上を共有コンピュータ可読格納媒体（図示せず）によって実質的に結合させてもよい。
【００４４】
実施形態によっては、コントローラ１０８が、システム１００の諸構成部材又はサブシステムのうち任意のものに、本件技術分野で既知な何らかの要領で可通信結合されよう。更に、伝送媒体例えば有線及び／又は無線区間を有するそれにより他システムからのデータ又は情報（例．検査システム例えば広帯域プラズマ（ＢＢＰ）ツール、デザインデータが収まるリモートデータベース等からの検査結果）を受け取り及び／又は捉えるよう、コントローラ１０８を構成してもよい。こうすることで、その伝送媒体を、コントローラ１０８と本システム１００の他サブシステム又はシステム１００外のシステムとの間のデータリンクとして、働かせるとよい。
【００４５】
コントローラ１０８を、何らかの好適な要領で（例．１個又は複数個の伝送媒体例えば有線及び／又は無線伝送媒体を含むそれを介し）本システム１００の構成諸部材に結合させることで、本システム１００により生成された出力をそのコントローラ１０８にて受け取れるようにすることができる。コントローラ１０８を、その出力を用い多数の機能を実行するよう構成するとよい。また例えば、コントローラ１０８を、その出力についての欠陥レビューを実行することなくその出力をメモリ１１２その他の格納媒体へと送るように、構成してもよい。その他、コントローラ１０８は本願記載の如く構成されうる。
【００４６】
更なる実施形態は、コントローラ上で実行可能なプログラムが格納されている非一時的コンピュータ可読媒体であり、本願記載の如くウェハ１０５上のフィーチャの高さを判別するコンピュータ実施方法を実行するためのものに、関するものである。とりわけ、図１に示すように、コントローラ１０８に、メモリ１１２その他の電子データ格納媒体と併せ、コントローラ１０８上で実行可能なプログラム命令群が組み込まれた非一時的コンピュータ可読媒体を具備させることができる。そのコンピュータ実施方法には、本願記載のいずれの方法（群）のいずれのステップ（群）を含めてもよい。メモリ１１２その他の電子データ格納媒体は格納媒体、例えば磁気又は光ディスク、磁気テープその他、本件技術分野で既知で好適ないずれの非一時的コンピュータ可読媒体でもよい。
【００４７】
それらプログラム命令は、就中、手続きベース技術、要素ベース技術及び／又はオブジェクト指向技術を含め、諸手法のいずれで実装してもよい。例えば、それらプログラム命令を、望むところに従い、ＡｃｔｉｖｅＸ（登録商標）コントロール、Ｃ＋＋オブジェクト、ＪａｖａＢｅａｎｓ（登録商標）、Ｍｉｃｒｏｓｏｆｔ（登録商標）ＦｏｕｎｄａｔｉｏｎＣｌａｓｓｅｓ（ＭＦＣ）、ＳＳＥ（ストリーミングＳＩＭＤエクステンション）その他のテクノロジ又は方法論を用い、実装すればよい。
【００４８】
実施形態によっては、システム１００並びに本願記載の諸方法の諸ステップ、機能及び／又は動作が、電子回路、論理ゲート、マルチプレクサ、プログラマブル論理デバイス、ＡＳＩＣ、アナログ又はディジタルコントローラ／スイッチ、マイクロコントローラ及び情報処理システムのうち１個又は複数個により実行される。プログラム命令であり方法例えば本願記載のそれを実現するそれを、キャリア媒体上で伝送させ又はその上に格納してもよい。そのキャリア媒体には格納媒体、例えばリードオンリメモリ、ランダムアクセスメモリ、磁気又は光ディスク、不揮発性メモリ、固体メモリ、磁気テープ等が含まれうる。キャリア媒体には伝送媒体、例えばワイヤ、ケーブル又は無線伝送リンクが含まれうる。例えば、本件開示の随所に記載の諸ステップを、単一のコントローラ１０８（又はコンピュータシステム）により実行しても、或いは複数個のコントローラ１０８（又は複数個のコンピュータシステム）により実行してもよい。更に、本システム１００の諸サブシステムが１個又は複数個の情報処理又は論理システムを有していてもよい。従って、上掲の記述は本発明についての限定としてではなく単なる例証として解されるべきである。
【００４９】
本システム１００では、ウェハ１０５をチャック１０６で保持することができる。アクチュエータ１１０を、センサ体１０３及びウェハ１０５が互いに対し走査されるように構成することができる。例えば、チャック１０６を、ウェハ１０５と共に、センサ体１０３に対しＸ又はＹ方向に沿い走査運動させることができる。チャック１０６を動かすかの如くアクチュエータ１１０が描かれているが、アクチュエータ１１０でセンサ体１０３を動かすこともできる。
【００５０】
図２〜図４にはセンサ配列の諸実施形態が描かれている。図２〜図４では各センサ体内に８個のセンサが描かれているが、センサ体１個当たり例えば数百個のセンサが存していてもよい。
【００５１】
図２中の配列２００は２個のセンサ体１０３を有している。それらセンサ体１０３は２本のロー２０１をなして配列されている。個々のロー２０１及びカラム２０２は少なくとも２個のセンサ１０４を有している。当該２個のセンサ体１０３を少なくとも部分的に重ね合わせることができる。ウェハ（図示せず）は、矢印２０３で示される如くそれらセンサ体１０３に対し動かされる。
【００５２】
図３中の配列３００は３個のセンサ体１０３を有している。それらセンサ体１０３は３本のロー３０１をなして配列されている。個々のロー３０１及びカラム３０２は少なくとも２個のセンサ１０４を有している。当該３個のセンサ体１０３を少なくとも部分的に重ね合わせることができる。ウェハ（図示せず）は、矢印３０３で示される如くそれらセンサ体１０３に対し動かされる。ロー３０１及びカラム３０２内のセンサ１０４は（破線で示す如く）線３０４に沿い配列されている。ウェハに対するセンサ体１０３の走査は、矢印３０３を線３０４と比べることでわかる通り、それら線３０４のうちいずれかに対し非平行な方向に沿うものである。ある例では、ウェハに対するセンサ体１０３の走査方向が、線３０４のうち少なくとも１本に対し４５°角とされる。
【００５３】
図４中の配列４００は６個のセンサ体１０３を有している。それらセンサ体１０３は６本のロー４０１をなして配列されている。個々のロー４０１及びカラム４０２は少なくとも２個のセンサ１０４を有している。当該６個のセンサ体１０３を少なくとも部分的に重ね合わせることができる。例えば、それら６個のセンサ体１０３を、互いに完全重複するよう配置することができる。ウェハ（図示せず）は、矢印４０３で示される如くそれらセンサ体１０３に対し動かされる。
【００５４】
図５は方法５００のフローチャートである。５０１では白色光がウェハに向けられる。レンズの屈折率によって、その白色光を組成する波長それぞれの焦点距離が変わる。その白色光を組成する波長それぞれが、それらレンズから別々の距離にて集束する。
【００５５】
５０２では、そのウェハによって反射された白色光のうち一部が、センサ体内の複数個のセンサにて受光される。それらセンサは、複数本のロー及びカラムをなしてそのセンサ体内に配置されている。個々のロー及びカラムはそれらセンサのうち少なくとも２個を有している。
【００５６】
５０３では、コントローラを用い、クロマティック共焦点技術を用いて、ウェハについての高さデータが求められる。
【００５７】
ウェハ及びセンサ体を互いに対し走査させてもよい。例えばビザンチン走査パターンを用いてもよい。ある例では、ロー及びカラムを線に沿わせ、ウェハに対するセンサ体の走査をそれらの線のうちいずれかに対し非平行な方向に沿わせる。例えば、ウェハに対するセンサ体の走査方向を、それら線のうち少なくとも１本に対し４５°角とすることができる。
【００５８】
高輝度光源とし、クロマティック共焦点イメージングに係る速度向上を実現することもできる。スループットはセンサ出力により制限されうる。レーザ駆動プラズマ光源や超連続体（超広帯域）光源が、クロマティック共焦点イメージングに係る速度向上を実現しうる高輝度光源の例である。
【００５９】
本願中の用語「ウェハ」は、総じて、半導体又は非半導体素材で形成された基板のことを指している。そうした半導体又は非半導体素材の例としては、これに限られるものではないが、単結晶シリコン、窒化ガリウム、ヒ化ガリウム、燐化インジウム、サファイア及びガラスがある。そうした基板は、半導体製造設備にて広く見いだされ及び／又は処理されうるものである。
【００６０】
ウェハが、基板上に形成された１個又は複数個の層を有していてもよい。そうした層の例としては、これに限られるものではないが、フォトレジスト、誘電素材、導電素材及び半導体素材を含むものがあろう。本件技術分野ではその種の層について多くの種類が知られており、本願中の用語ウェハには、その種類を問わずそれらの層を有するウェハを包括する意図がある。
【００６１】
ウェハ上に形成された１個又は複数個の層はパターニングされていても未パターニングでもよい。例えば、ウェハ内に複数個のダイがありそれらがそれぞれ可反復パターンフィーチャ又は周期構造を有していてもよい。そうした素材層の形成及び処理を通じ最終的にはデバイスの完成品が得られよう。相異なる多くの種類のデバイスをウェハ上に形成しうるところ、本願での用語ウェハには、その種類を問わず本件技術分野で既知なデバイスがその上に作成されるウェハを包括する意図がある。
【００６２】
他種ウェハを用いてもよい。例えば、そのウェハを用いＬＥＤ、ソーラセル、磁気ディスク、フラットパネル又は研磨板を製造してもよい。他物体上の欠陥を、本願で開示されている技術及びシステムを用い分類してもよい。
【００６３】
本方法の各ステップは本願記載の如く実行されうる。また、本方法に、本願記載のコントローラ及び／又はコンピュータサブシステム（群）又はシステム（群）により実行可能ないずれの他ステップ（群）を含めてもよい。それらのステップは、１個又は複数個のコンピュータシステム特に本願記載の諸実施形態のいずれに従い構成しうるそれにより、実行することができる。加えて、上述の諸方法を本願記載のシステム実施形態のうちいずれにより実行してもよい。
【００６４】
本件開示について、１個又は複数個の具体的実施形態を基準にして記述してきたが、理解されるように、本件開示の技術的範囲から離隔することなく、本件開示の他の諸実施形態をなすことができる。従って、本件開示は、添付する諸請求項及びその合理的解釈によってのみ限定されるものと認められる。
【図１】
2019529895.tif 000003
【図２】
2019529895.tif 000004
【図３】
2019529895.tif 000005
【図４】
2019529895.tif 000006
【図５】
2019529895.tif 000007
【国際調査報告】
2019529895.tif 000008
2019529895.tif 000009